(57)【特許請求の範囲】
【請求項１】
画像が形成された記録材の搬送経路を構成する第１搬送経路部、および当該第１搬送経路部よりも当該記録材の搬送方向における上流側の搬送経路を構成する第２搬送経路部を有する搬送経路部と、
自装置の一方の側面に、当該自装置に対して開閉可能に設けられ、当該自装置に対して開く第１の開閉部と、
前記第１の開閉部よりも前記自装置の内側であって、当該自装置に対して開閉可能に設けられ、当該自装置に対して開くことで、前記第２搬送経路部を開放する第２の開閉部と、
前記第１の開閉部の下部に、前記自装置に対して開閉可能に設けられる第３の開閉部と、
前記第１の開閉部および前記第２の開閉部を押圧し、当該第１の開閉部および当該第２の開閉部を開く押圧手段と、
を備え、
前記第１搬送経路部は、前記第１の開閉部が開くことで開放される被開放部と、当該被開放部に続いて当該第１の開閉部および前記第２の開閉部よりも前記搬送方向の下流側まで延びて設けられる下流部とを有し、
前記第１の開閉部は、前記被開放部において前記搬送経路を構成する一面を有し、
前記第２の開閉部は、前記被開放部のうちの、前記第１の開閉部が有する前記一面とは反対側の面を有し、
前記第３の開閉部は、前記自装置に対して開くことで、前記下流部を開放し、
前記第３の開閉部には、当該第３の開閉部を前記自装置に対して開くためにユーザに操作される被操作部が設けられ、
前記第１の開閉部および前記第２の開閉部は、前記被操作部がユーザに操作されていない場合には前記自装置に対して開かず、当該被操作部がユーザに操作されると前記押圧手段に押圧され当該自装置に対して開き、
前記第１の開閉部および前記第２の開閉部は、前記下流部において記録材の搬送経路が延びる方向と交差する方向に開き、
前記押圧手段は、前記第２の開閉部が開くにしたがって押圧力が低減することを特徴とする記録材搬送装置。
【請求項２】
前記第１の開閉部が開くことに連動して、前記第２の開閉部が開くことを特徴とする請求項１に記載の記録材搬送装置。
【請求項３】
前記第１搬送経路部は、前記第２搬送経路部から搬送される前記記録材を前記搬送方向の下流側へ搬送する下流側搬送部よりも前記第１の開閉部が設けられている側の搬送経路部であることを特徴とする請求項１または２の何れかに記載の記録材搬送装置。
【請求項４】
前記第２搬送経路部は、前記第１搬送経路部が設けられる側とは前記下流側搬送部に対して反対側の搬送経路部であることを特徴とする請求項３に記載の記録材搬送装置。
【請求項５】
前記押圧手段は、前記第２搬送経路部上に設けられ、当該第２搬送経路部上を搬送される前記記録材に対して押圧力を与えるとともに搬送方向下流側へ搬送する上流側搬送部であることを特徴とする請求項４に記載の記録材搬送装置。
【請求項６】
前記第２の開閉部は、前記第１の開閉部から押圧されることにより、前記自装置に対して閉じることを特徴とする請求項１乃至５のいずれかに記載の記録材搬送装置。
【請求項７】
記録材に対して画像を形成する画像形成部と、
前記画像形成部により前記画像が形成された前記記録材が排出される排出部と、
前記記録材の搬送方向下流側への搬送または前記排出部への搬送に用いられ、当該記録材の搬送経路を構成する第１搬送経路部および当該第１搬送経路部よりも当該記録材の搬送方向における上流側の搬送経路を構成する第２搬送経路部を有する搬送経路部と、
自装置の一方の側面に、当該自装置に対して開閉可能に設けられ、当該自装置に対して開く第１の開閉部と、
前記第１の開閉部よりも前記自装置の内側であって、当該自装置に対して開閉可能に設けられ、当該自装置に対して開くことで、前記第２搬送経路部を開放する第２の開閉部と、
前記第１の開閉部の下部に、前記自装置に対して開閉可能に設けられる第３の開閉部と、
前記第１の開閉部および前記第２の開閉部を押圧し、当該第１の開閉部および当該第２の開閉部を開く押圧手段と、
を備え、
前記第１搬送経路部は、前記第１の開閉部が開くことで開放される被開放部と、当該被開放部に続いて当該第１の開閉部および前記第２の開閉部よりも前記搬送方向の下流側まで延びて設けられる下流部とを有し、
前記第１の開閉部は、前記被開放部において前記搬送経路を構成する一面を有し、
前記第２の開閉部は、前記被開放部のうちの、前記第１の開閉部が有する前記一面とは反対側の面を有し、
前記第３の開閉部は、前記自装置に対して開くことで、前記下流部を開放し、
前記第３の開閉部には、当該第３の開閉部を前記自装置に対して開くためにユーザに操作される被操作部が設けられ、
前記第１の開閉部および前記第２の開閉部は、前記被操作部がユーザに操作されていない場合には前記自装置に対して開かず、当該被操作部がユーザに操作されると前記押圧手段に押圧され当該自装置に対して開き、
前記第１の開閉部および前記第２の開閉部は、前記下流部において記録材の搬送経路が延びる方向と交差する方向に開き、
前記押圧手段は、前記第２の開閉部が開くにしたがって押圧力が低減することを特徴とする画像形成装置。
【発明の詳細な説明】
【技術分野】
【０００１】
本発明は、記録材搬送装置および画像形成装置に関する。
【背景技術】
【０００２】
特許文献１には、紙は給紙トレイから給紙され、下から上に向かって搬送され、この過程で転写、定着プロセスが行われ、機械上部へと排出され、紙詰まりが発生したときには、前カバーを開ければ機械紙搬送部が手前に見えるために紙詰まり処理をしやすい画像形成装置が開示されている。
【先行技術文献】
【特許文献】
【０００３】
【特許文献１】特開２００２−９１１０６号公報
【発明の概要】
【発明が解決しようとする課題】
【０００４】
記録材搬送装置では、記録材の搬送中に発生した紙詰まりを除去するため、自装置の一面に開閉可能な開閉部が設けられている。ユーザは、この開閉部を開いて、自装置内部の記録材搬送経路上における紙詰まりを取り除く。
ここで、開閉部を開いた場合であっても、ユーザの手が届かない範囲で紙詰まりが発生しているときは、紙詰まりを除去することができない。
本発明は、記録材搬送装置の一面に設けられた開閉部を開いただけではユーザの手が届かない範囲で紙詰まりが生じた場合であっても、ユーザが紙詰まりを除去することが容易になる記録材搬送装置を提供することを目的とする。
【課題を解決するための手段】
【０００５】
請求項１に記載の発明は、画像が形成された記録材の搬送経路を構成する第１搬送経路部、および当該第１搬送経路部よりも当該記録材の搬送方向における上流側の搬送経路を構成する第２搬送経路部を有する搬送経路部と、自装置の一方の側面に、当該自装置に対して開閉可能に設けられ、当該自装置に対して開く第１の開閉部と、前記第１の開閉部よりも前記自装置の内側であって、当該自装置に対して開閉可能に設けられ、当該自装置に対して開くことで、前記第２搬送経路部を開放する第２の開閉部と、前記第１の開閉部の下部に、前記自装置に対して開閉可能に設けられる第３の開閉部と、前記第１の開閉部および前記第２の開閉部を押圧し、当該第１の開閉部および当該第２の開閉部を開く押圧手段と、を備え、前記第１搬送経路部は、前記第１の開閉部が開くことで開放される被開放部と、当該被開放部に続いて当該第１の開閉部および前記第２の開閉部よりも前記搬送方向の下流側まで延びて設けられる下流部とを有し、前記第１の開閉部は、前記被開放部において前記搬送経路を構成する一面を有し、前記第２の開閉部は、前記被開放部のうちの、前記第１の開閉部が有する前記一面とは反対側の面を有し、前記第３の開閉部は、前記自装置に対して開くことで、前記下流部を開放し、前記第３の開閉部には、当該第３の開閉部を前記自装置に対して開くためにユーザに操作される被操作部が設けられ、前記第１の開閉部および前記第２の開閉部は、前記被操作部がユーザに操作されていない場合には前記自装置に対して開かず、当該被操作部がユーザに操作されると前記押圧手段に押圧され当該自装置に対して開き、前記第１の開閉部および前記第２の開閉部は、前記下流部において記録材の搬送経路が延びる方向と交差する方向に開き、前記押圧手段は、前記第２の開閉部が開くにしたがって押圧力が低減することを特徴とする記録材搬送装置である。
請求項２に記載の発明は、前記第１の開閉部が開くことに連動して、前記第２の開閉部が開くことを特徴とする請求項１に記載の記録材搬送装置である。
請求項３に記載の発明は、前記第１搬送経路部は、前記第２搬送経路部から搬送される前記記録材を前記搬送方向の下流側へ搬送する下流側搬送部よりも前記第１の開閉部が設けられている側の搬送経路部であることを特徴とする請求項１または２の何れかに記載の記録材搬送装置である。
請求項４に記載の発明は、前記第２搬送経路部は、前記第１搬送経路部が設けられる側とは前記下流側搬送部に対して反対側の搬送経路部であることを特徴とする請求項３に記載の記録材搬送装置である。
請求項５に記載の発明は、前記押圧手段は、前記第２搬送経路部上に設けられ、当該第２搬送経路部上を搬送される前記記録材に対して押圧力を与えるとともに搬送方向下流側へ搬送する上流側搬送部であることを特徴とする請求項４に記載の記録材搬送装置である。
請求項６に記載の発明は、前記第２の開閉部は、前記第１の開閉部から押圧されることにより、前記自装置に対して閉じることを特徴とする請求項１乃至５のいずれかに記載の記録材搬送装置である。
請求項７に記載の発明は、記録材に対して画像を形成する画像形成部と、前記画像形成部により前記画像が形成された前記記録材が排出される排出部と、前記記録材の搬送方向下流側への搬送または前記排出部への搬送に用いられ、当該記録材の搬送経路を構成する第１搬送経路部および当該第１搬送経路部よりも当該記録材の搬送方向における上流側の搬送経路を構成する第２搬送経路部を有する搬送経路部と、自装置の一方の側面に、当該自装置に対して開閉可能に設けられ、当該自装置に対して開く第１の開閉部と、前記第１の開閉部よりも前記自装置の内側であって、当該自装置に対して開閉可能に設けられ、当該自装置に対して開くことで、前記第２搬送経路部を開放する第２の開閉部と、前記第１の開閉部の下部に、前記自装置に対して開閉可能に設けられる第３の開閉部と、前記第１の開閉部および前記第２の開閉部を押圧し、当該第１の開閉部および当該第２の開閉部を開く押圧手段と、を備え、前記第１搬送経路部は、前記第１の開閉部が開くことで開放される被開放部と、当該被開放部に続いて当該第１の開閉部および前記第２の開閉部よりも前記搬送方向の下流側まで延びて設けられる下流部とを有し、前記第１の開閉部は、前記被開放部において前記搬送経路を構成する一面を有し、前記第２の開閉部は、前記被開放部のうちの、前記第１の開閉部が有する前記一面とは反対側の面を有し、前記第３の開閉部は、前記自装置に対して開くことで、前記下流部を開放し、前記第３の開閉部には、当該第３の開閉部を前記自装置に対して開くためにユーザに操作される被操作部が設けられ、前記第１の開閉部および前記第２の開閉部は、前記被操作部がユーザに操作されていない場合には前記自装置に対して開かず、当該被操作部がユーザに操作されると前記押圧手段に押圧され当該自装置に対して開き、前記第１の開閉部および前記第２の開閉部は、前記下流部において記録材の搬送経路が延びる方向と交差する方向に開き、前記押圧手段は、前記第２の開閉部が開くにしたがって押圧力が低減することを特徴とする画像形成装置である。
【発明の効果】
【０００６】
請求項１の発明によれば、第１の開閉部がユーザに操作されると第１の開閉部および第２の開閉部が押圧手段に開かれる場合に比べて、第１の開閉部および第２の開閉部が開く前に押圧手段の押圧力がユーザに低減されることを抑制できる。
請求項２の発明によれば、ユーザが第２の開閉部を開く動作をすることなく、紙詰まりを除去することができる。
請求項３の発明によれば、下流側搬送部よりも第１の開閉部が設けられる側で発生した紙詰まりを除去することができる。
請求項４の発明によれば、第１の開閉部が設けられる側とは下流側搬送部に対して反対側で発生した紙詰まりを除去することができる。
請求項５の発明によれば、ユーザが第１の開閉部および第２の開閉部を開くことなく、第１の開閉部および第２の開閉部を開くことができる。
請求項６の発明によれば、ユーザが、第２の開閉部を閉める動作を行うことなく、第１の開閉部および第２の開閉部を閉めることができる。
請求項７の発明によれば、第１の開閉部がユーザに操作されると第１の開閉部および第２の開閉部が押圧手段に開かれる場合に比べて、第１の開閉部および第２の開閉部が開く前に押圧手段の押圧力がユーザに低減されることを抑制できる。
【図面の簡単な説明】
【０００７】
【図１】本実施形態にかかる画像形成システムの全体構成図である。
【図２】用紙搬送部の拡大図である。
【図３】下部カバーおよび下流側経路カバーの構成を示した図であって、図１のＩ方向から用紙搬送部を眺めた用紙搬送部の斜視図である。
【図４】下流側経路カバーのラッチ部の構成を示した図である。
【図５】下流側経路カバーが開いた状態を示した図である。
【図６】上流側経路カバーの構成を示した図である。
【図７】（Ａ）は上流側経路カバーが開いた状態を示した図、（Ｂ）は上流側経路カバーが閉じる位置を決める構成を図７（Ａ）のＶＩＩ方向から眺めた図である。
【図８】下流側経路カバーと上流側経路カバーとがそれぞれ有する用紙搬送経路部と搬送ロールの範囲を示した図である。
【発明を実施するための形態】
【０００８】
＜画像形成システムの説明＞
以下、添付図面を参照して、本発明の実施の形態について詳細に説明する。
図１は、本実施の形態にかかる画像形成システム１の全体構成を示した図であり、画像形成システム１を、ユーザによる指示や操作を受け付けるフロントＦ側から見た斜視図である。
図１に示す画像形成システム１は、所謂タンデム型のカラープリンタであり、画像データに基づき画像形成を行う画像形成部１０と、画像形成部１０に向けて用紙Ｐを供給する給紙部２１とを備えている。
【０００９】
また、画像形成システム１は、画像形成部１０により画像形成を行った用紙Ｐを搬送する用紙搬送部７０と、画像形成を行った用紙Ｐを排出する用紙排出部５０とを備えている。さらに、画像形成システム１は、画像形成を行った用紙Ｐを集めて束ねる用紙積載部や用紙Ｐの端部を綴じる綴じ処理部などを含み、用紙搬送部７０の図中右側に設けられた後処理装置６０と、画像形成を行った用紙Ｐを後処理装置６０へ排出する排出口６１とを備えている。
【００１０】
そして、画像形成システム１は、画像形成部１０、給紙部２１、および用紙搬送部７０を内部に収容して保持する筐体４０を備えている。また、画像形成システム１は、画像形成システム１全体の動作を制御する制御部３０と、例えばパーソナルコンピュータ（ＰＣ）３や画像読取装置（スキャナ）４等との通信を行って画像データを受信する通信部３１と、通信部３１にて受信された画像データに対し予め定めた画像処理を施す画像処理部３２とを備えている。
以下の説明では、画像形成システム１において、下部から上部に向かう方向をｚ方向、フロントＦ側からリアＲ側に向かう方向をｙ方向、ｚ方向およびｙ方向に直交する方向であって、フロントＦ側から見た場合の左側から右側に向かう方向をｘ方向、と称する。
【００１１】
給紙部２１は、第１用紙搬送経路部Ｒ１にそれぞれ用紙Ｐを供給する第１給紙トレイ２２と、第２給紙トレイ２３とを備えている。なお、第１給紙トレイ２２と第２給紙トレイ２３とは同様に構成されている。また、給紙部２１は、用紙Ｐを手差しする際に使用される手差しトレイ２４を備えている。さらに、給紙部２１は、第１給紙トレイ２２上、第２給紙トレイ２３上、および手差しトレイ２４上であって搬送方向下流側にそれぞれ設けられ、用紙Ｐを取り出して各トレイからの搬送経路に従って画像形成部１０の二次転写位置Ｔｒへと搬送する送り出しロール２５を備えている。第１給紙トレイ２２、第２給紙トレイ２３、手差しトレイ２４からそれぞれ延びる搬送経路は、第１用紙搬送経路部Ｒ１の上流側端部である合流部Ｇ１で合流する。
【００１２】
画像形成部１０は、一定の間隔を置いて並列的に配置されるイエロー（Ｙ）、マゼンタ（Ｍ）、シアン（Ｃ）、ブラック（Ｋ）の４つの画像形成ユニット１１Ｙ、１１Ｍ、１１Ｃ、１１Ｋ（以下、画像形成ユニット１１と総称する）を備えている。各画像形成ユニット１１は、静電潜像を形成してトナー像を保持する感光体ドラム１２と、感光体ドラム１２の表面を帯電する帯電器１３と、帯電器１３によって帯電された感光体ドラム１２を画像データに基づいて露光する露光器１４とを備えている。また、各画像形成ユニット１１は、感光体ドラム１２上に形成された静電潜像を現像する現像器１５と、転写後の感光体ドラム１２表面を清掃するクリーナ１６とを備えている。
【００１３】
さらに、画像形成部１０は、各画像形成ユニット１１の感光体ドラム１２にて形成された各色トナー像が多重転写される中間転写ベルト１７と、各画像形成ユニット１１による各色トナー像を中間転写ベルト１７に順次転写（一次転写）させる一次転写ロール１８と、中間転写ベルト１７上に転写された重畳トナー像を用紙Ｐに一括転写（二次転写）させる二次転写ロール１９と、二次転写された画像を用紙Ｐ上に定着させる定着器２０とを備えている。
【００１４】
用紙排出部５０は、用紙搬送部の一方の側面に設けられたサイドトレイ５２と、サイドトレイ５２とは図中ｘ方向について反対側である用紙搬送部７０の他方の側面に設けられた排出トレイ５１とを備える。
サイドトレイ５２は、用紙搬送部７０の図中左側に設けられる。そして、片面印刷の用紙Ｐは、画像が形成された面が上を向いた状態でサイドトレイ５２に排出される。
排出トレイ５１は、用紙搬送部７０の図中右側に設けられる。そして、片面印刷の用紙Ｐは、画像が形成されていない面が上を向いた状態で排出トレイ５１に排出される。
なお、排出トレイ５１、サイドトレイ５２、排出口６１は、排出部の一例である。
【００１５】
なお、本実施形態の画像形成システム１は、Ｙ、Ｍ、Ｃ、Ｋのカラー画像を用紙Ｐに形成する所謂カラー機である。しかしながら、画像形成システム１は、カラー機に限定されるものではない。画像形成システム１は、例えば用紙Ｐに白黒の画像を形成する所謂モノクロ機であっても構わない。
また、本実施形態の画像形成装置２は、画像形成部１０と、給紙部２１と、筐体４０と、用紙搬送部７０と、用紙排出部５０と、排出口６１とを備えている。
【００１６】
＜用紙搬送部の説明＞
続いて、画像が形成された用紙Ｐを搬送する用紙搬送部７０について説明する。
図２は、画像形成システム１のうち、用紙搬送部７０の拡大図である。
記録材搬送装置の一例としての用紙搬送部７０は、画像形成部１０により画像が形成された用紙Ｐを搬送方向下流側へ搬送する第１搬送ロール７１と、第１搬送ロール７１が搬送する用紙Ｐをさらに搬送方向下流側へ搬送する第２搬送ロール７２とを備えている。また、用紙搬送部７０は、第２搬送ロール７２が搬送する用紙Ｐを排出トレイ５１へ向けて搬送する第３搬送ロール７３と、第２搬送ロール７２が搬送する用紙Ｐの搬送方向を反転させる反転搬送ロール７４とを備えている。さらに、用紙搬送部７０は、反転搬送ロール７４が搬送方向を反転させて搬送する用紙Ｐを、サイドトレイ５２または再び二次転写位置Ｔｒへ向けて搬送する分岐ロール７５を備えている。
【００１７】
また、用紙搬送部７０は、画像形成部１０から上方へ向かって延びて設けられ、用紙Ｐの排出トレイ５１への搬送に用いられる第２用紙搬送経路部Ｒ２と、第１搬送ロール７１と第２搬送ロール７２との間で第２用紙搬送経路部Ｒ２から図中右側へ分岐し、用紙Ｐの後処理装置６０への搬送に用いられる第３用紙搬送経路部Ｒ３とを備えている。さらに、用紙搬送部７０は、第２搬送ロール７２よりも搬送方向下流側で第２用紙搬送経路部Ｒ２から上方へ分岐するとともに図中右側へ曲がって設けられ、用紙Ｐの反転搬送ロール７４への搬送に用いられる第４用紙搬送経路部Ｒ４と、第４用紙搬送経路部Ｒ４から図中左側へ分岐するとともに、下方へ向かって延びて設けられ、用紙Ｐの合流部Ｇ１への再度の搬送に用いられる、第５用紙搬送経路部Ｒ５を備えている。
【００１８】
またさらに、用紙搬送部７０は、反転搬送ロール７４よりも第４用紙搬送経路部Ｒ４の上流側で第４用紙搬送経路部Ｒ４から図中左側へ分岐し、用紙Ｐのサイドトレイ５２への搬送に用いられる第６用紙搬送経路部Ｒ６を備えている。
なお、第５用紙搬送経路部Ｒ５と第６用紙搬送経路部Ｒ６とは、搬送経路の途中で交差するが、それぞれ別々に設けられている。また、第２用紙搬送経路部Ｒ２、第３用紙搬送経路部Ｒ３、第４用紙搬送経路部Ｒ４、第５用紙搬送経路部Ｒ５、および第６用紙搬送経路部Ｒ６は、搬送経路部の一例である。
【００１９】
そして、用紙搬送部７０は、第２用紙搬送経路部Ｒ２と第３用紙搬送経路部Ｒ３との分岐部Ｂ１付近に設けられ、用紙Ｐの搬送先を、第２用紙搬送経路部Ｒ２と第３用紙搬送経路部Ｒ３とで切り替える第１切替ゲート７６を備えている。また、用紙搬送部７０は、第２用紙搬送経路部Ｒ２と第４用紙搬送経路部Ｒ４との分岐部Ｂ２付近に設けられ、用紙Ｐの搬送先を、第２用紙搬送経路部Ｒ２と第４用紙搬送経路部Ｒ４とで切り替える第２切替ゲート７７を備えている。さらに、用紙搬送部７０は、第４用紙搬送経路部Ｒ４と第６用紙搬送経路部Ｒ６との分岐部Ｂ３付近に設けられ、用紙Ｐの搬送先を、第４用紙搬送経路部Ｒ４と第６用紙搬送経路部Ｒ６とで切り替える第３切替ゲート７８を備えている。またさらに、用紙搬送部７０は、第５用紙搬送経路部Ｒ５と第６用紙搬送経路部Ｒ６との合流部Ｇ２付近に設けられ、用紙Ｐの搬送先を、第５用紙搬送経路部Ｒ５と第６用紙搬送経路部Ｒ６とで切り替える第４切替ゲート７９とを備えている。
【００２０】
また、用紙搬送部７０は、第４用紙搬送経路部Ｒ４と第５用紙搬送経路部Ｒ５との分岐部Ｂ４付近に設けられ、用紙Ｐの第４用紙搬送経路部Ｒ４下流側への搬送を案内する一方搬送ゲート８０を備えている。さらに、用紙搬送部７０は、分岐部Ｂ２付近に設けられ、第２搬送ロール７２が第２用紙搬送経路部Ｒ２上を搬送する用紙Ｐの先端を検知する位置検知部ＰＳを備えている。
【００２１】
さらに、用紙搬送部７０は、サイドトレイ５２が設けられている用紙搬送部７０の一方の側面に、筐体４０の一部として、回転により開閉可能に設けられた下流側経路カバー８４と、下流側経路カバー８４の下部であって回転により開閉可能に設けられた下部カバー８１とを備えている。またさらに、用紙搬送部７０は、筐体４０の内部に、回転により開閉可能に設けられた上流側経路カバー９２を備えている。下流側経路カバー８４、下部カバー８１、および、上流側経路カバー９２については、後に詳述する。
【００２２】
以下の説明では、分岐ロール７５よりも搬送方向下流側の用紙搬送経路部を、第１の搬送経路部の一例としての下流側経路部ＲＤ、と称する。言い換えると、下流側経路部ＲＤは、分岐ロール７５よりも下流側経路カバー８４側（図中左側）に設けられた用紙搬送経路部である。また、分岐ロール７５よりも搬送方向上流側の用紙搬送経路部を、第２の搬送経路部の一例としての上流側経路部ＲＵ、と称する。言い換えると、上流側経路部ＲＵは、分岐ロール７５よりも排出トレイ５１側（図中右側）に設けられた用紙搬送経路部である。
【００２３】
第１搬送ロール７１は、画像が形成された用紙Ｐを、第２用紙搬送経路部Ｒ２または第３用紙搬送経路部Ｒ３へ搬送する。
第１切替ゲート７６は、第２用紙搬送経路部Ｒ２上と第３用紙搬送経路部Ｒ３上とにそれぞれ突出可能に設けられる。そして、第１搬送ロール７１による用紙Ｐの搬送先を第３用紙搬送経路部Ｒ３に切り替える場合、第１切替ゲート７６は、第２用紙搬送経路部Ｒ２上に突出し、用紙Ｐを、第３用紙搬送経路部Ｒ３へ案内する。一方、用紙Ｐの搬送先を第２用紙搬送経路部Ｒ２とする場合、第１切替ゲート７６は、第３用紙搬送経路部Ｒ３上に突出し、用紙Ｐを、第２用紙搬送経路部Ｒ２の下流側へ案内する。
【００２４】
上流側搬送部の一例としての第２搬送ロール７２は、ロール７２Ａとロール７２Ｂとからなり、回転により用紙Ｐを搬送するロール対である。ロール７２Ａは、ロール７２Ｂよりも図中ｘ方向下流側に設けられ、第２用紙搬送経路部Ｒ２を介してロール７２Ｂと対向する。また、ロール７２Ａとロール７２Ｂとには、図中フロントＦ側からリアＲ側へ延びて設けられる不図示の回転軸がそれぞれ設けられている。
【００２５】
ロール７２Ｂは、ロール７２Ｂの回転軸から図中ｘ方向への押圧力（ニップ圧）を受ける。そして、第２用紙搬送経路Ｒ２上を搬送される用紙Ｐを、ロール７２Ａとの間で押圧する。また、ロール７２Ｂの回転軸には、ロール７２Ａの回転軸に向かって延びる不図示のばねが設けられている。ばねは、ロール７２Ｂの回転軸から受けるニップ圧の反力として、ロール７２Ｂの回転軸に対して、図中−ｘ方向への押圧力Ｆ１を与える。そして、この押圧力Ｆ１は、ロール７２Ｂの回転軸を介して、上流側経路カバー９２、および下流側経路カバー８４に伝達する。
【００２６】
そして、第２搬送ロール７２は、第１切替ゲート７６が第２用紙搬送経路部Ｒ２へ案内する用紙Ｐを、第２用紙搬送経路部Ｒ２の下流側、第４用紙搬送経路部Ｒ４、または、第６用紙搬送経路部Ｒ６へ搬送する。
位置検知部ＰＳは、第２搬送ロール７２が搬送する用紙Ｐの先端部の通過を検知し、制御部３０に検知信号を送信する。制御部３０は、位置検知部ＰＳから信号を受信して用紙Ｐの位置情報を取得する。そして、第５用紙搬送経路部Ｒ５上を搬送される用紙Ｐと第６用紙搬送経路部Ｒ６上を搬送される他の用紙Ｐとが接触しないよう、用紙Ｐの搬送を制御する。
【００２７】
第２切替ゲート７７は、第２用紙搬送経路部Ｒ２上と第４用紙搬送経路部Ｒ４上とにそれぞれ突出可能に設けられる。そして、第２搬送ロール７２による用紙Ｐの搬送先を第４用紙搬送経路部Ｒ４に切り替える場合、第２切替ゲート７７は、第２用紙搬送経路部Ｒ２上に突出し、用紙Ｐを、第４用紙搬送経路部Ｒ４へ案内する。一方、用紙Ｐの搬送先を第２用紙搬送経路部Ｒ２とする場合、第２切替ゲート７７は、第４用紙搬送経路部Ｒ４上に突出し、用紙Ｐを、第２用紙搬送経路部Ｒ２の下流側へ案内する。
【００２８】
第３搬送ロール７３は、押圧ロールと駆動ロールとからなるロール対により構成される。第３搬送ロール７３は、第２切替ゲート７７が第２用紙搬送経路部Ｒ２へ案内する用紙Ｐを、排出トレイ５１へ向けて搬送する。
【００２９】
第３切替ゲート７８は、第４用紙搬送経路部Ｒ４上と第６用紙搬送経路部Ｒ６上とにそれぞれ突出可能に設けられる。そして、第２搬送ロール７２による用紙Ｐの搬送先を第６用紙搬送経路部Ｒ６に切り替える場合、第３切替ゲート７８は、第４用紙搬送経路部Ｒ４上に突出し、用紙Ｐを、第６用紙搬送経路部Ｒ６へ案内する。一方、用紙Ｐの搬送先を第４用紙搬送経路部Ｒ４とする場合、第３切替ゲート７８は、第６用紙搬送経路部Ｒ６上に突出し、用紙Ｐを、第４用紙搬送経路部Ｒ４の下流側へ案内する。
【００３０】
一方搬送ゲート８０は、一方の端部８０Ａが第５用紙搬送経路部Ｒ５を構成する壁面（不図示）に接続する。また、一方搬送ゲート８０の他方の端部８０Ｂは、分岐部Ｂ４より上流側で、第４用紙搬送経路部Ｒ４を構成する壁面（不図示）上に設けられる。そして、第４用紙搬送経路部Ｒ４上を搬送される用紙Ｐが、一方搬送ゲート８０に接触すると、一方搬送ゲート８０は、用紙Ｐに押され、他方の端部８０Ｂが図中矢印Ａ方向へ移動するように弾性変形する。これにより、用紙Ｐの搬送経路が確保され、用紙Ｐは、反転搬送ロール７４に向かって搬送される。
【００３１】
一方、反転搬送ロール７４が反転搬送する用紙Ｐが、一方搬送ゲート８０の上部と接触しても、一方搬送ゲート８０の下部に位置する第４用紙搬送経路部Ｒ４を構成する壁面が、一方搬送ゲート８０の下方への移動を規制する。そのため、一方搬送ゲート８０の他方の端部８０Ｂは移動しない。そして、用紙Ｐは、一方搬送ゲート８０の案内により、第５用紙搬送経路部Ｒ５へ搬送される。
【００３２】
なお、一方搬送ゲート８０の構成は、第１切替ゲート７６と同様の構成としてもよい。この場合、用紙Ｐが、第４用紙搬送経路部Ｒ４上を搬送される際には、一方搬送ゲート８０は、第４用紙搬送経路部Ｒ４から退避している。そして、用紙Ｐが、第５用紙搬送経路部Ｒ５上を反転搬送される際には、一方搬送ゲート８０は、第４用紙搬送経路部Ｒ４上に突出し、用紙Ｐを、第５用紙搬送経路部Ｒ５の下流側へ案内する。
【００３３】
反転搬送ロール７４は、押圧ロールと駆動ロールとからなるロール対により構成される。反転搬送ロール７４は、第４用紙搬送経路部Ｒ４上を搬送される用紙Ｐをさらに下流側へ搬送する方向に回転（正転）する。また、用紙Ｐの後端が一方搬送ゲート８０を通過すると、回転方向が反転し、用紙Ｐを第５用紙搬送経路部Ｒ５へ向けて搬送する。
【００３４】
下流側搬送部の一例としての分岐ロール７５は、ロール７５Ａとロール７５Ｂとからなり、回転により用紙Ｐを搬送するロール対である。ロール７５Ａは、ロール７５Ｂよりも上部に設けられ、合流部Ｇ２を介してロール７５Ｂと対向する。ロール７５Ａとロール７５Ｂとには、図中フロントＦ側からリアＲ側へ延びて設けられる不図示の回転軸がそれぞれ設けられている。ロール７５Ｂは、ロール７５Ｂの回転軸から上方向への押圧力（ニップ圧）を受ける。そして、合流部Ｇ５を通る用紙Ｐを、ロール７５Ａとの間で押圧する。
【００３５】
また、ロール７５Ｂの回転軸には、ロール７５Ａの回転軸に向かって延びる不図示のばねが設けられている。ばねは、ロール７５Ｂの回転軸から受けるニップ圧の反力として、ロール７５Ｂの回転軸に対して、下方向への押圧力Ｆ２を与える。そして、この押圧力Ｆ２は、ロール７２Ｂの回転軸を介して、上流側経路カバー９２に伝達する。
分岐ロール７５は、第５用紙搬送経路部Ｒ５上を搬送される用紙Ｐをその下流側へ搬送する。また、第６用紙搬送経路部Ｒ６上を搬送される用紙Ｐを、サイドトレイ５２へ向けて搬送する。
【００３６】
第４切替ゲート７９は、第５用紙搬送経路部Ｒ５上と第６用紙搬送経路部Ｒ６上とにそれぞれ突出可能に設けられる。そして、用紙Ｐの搬送先を第６用紙搬送経路部Ｒ６に切り替える場合、第４切替ゲート７９は、第５用紙搬送経路部Ｒ５上に突出し、用紙Ｐを、第６用紙搬送経路部Ｒ６へ案内する。一方、用紙Ｐの搬送先を第５用紙搬送経路部Ｒ５に切り替える場合、第４切替ゲート７９は、第６用紙搬送経路部Ｒ６上に突出し、用紙Ｐを、第５用紙搬送経路部Ｒ５の下流側へ案内する。
【００３７】
＜下部カバーおよび下流側経路カバーの構成についての説明＞
続いて、下部カバー８１および下流側経路カバー８４の構成について説明する。
図３は、下部カバー８１および下流側経路カバー８４の構成を示した図であって、図１のＩ方向から用紙搬送部７０を眺めた用紙搬送部７０の斜視図である。また、図４は、下流側経路カバー８４の位置を用紙搬送部７０本体に固定させるためのラッチ機構の拡大図であって、図３のＩＩＩ方向から用紙搬送部７０を眺めた図である。さらに、図５は、下流側経路カバー８４が用紙搬送部７０本体に対して開いた状態を示した図である。
【００３８】
第３の開閉部の一例である下部カバー８１は、ユーザによる下部カバー８１の開閉操作を受け付ける操作ハンドル８２と、操作ハンドル８２よりも図中ｘ方向下流側に、操作ハンドル８２に連結して設けられる移動機構部８３とを備えている。
操作ハンドル８２は、ユーザがハンドル操作を行っていない場合、用紙搬送部７０本体に引っ掛かる構成を有しており、用紙搬送部７０本体に対する下部カバー８１の位置を固定する。
【００３９】
ユーザが、操作ハンドル８２を掴んで図中−ｘ方向へ引く操作を行うことで、用紙搬送部７０本体に対する操作ハンドル８２の引っ掛かりが外れる。そして、下部カバー８１は、不図示の回転軸を中心として回転し、−ｘ方向に倒れるように、用紙搬送部７０本体に対して開く。
【００４０】
移動機構部８３は、下側に進むにつれて−ｙ方向に延びる傾斜部８３Ａを備えている。
ユーザが、操作ハンドル８２を掴んで図中−ｘ方向へ引くにしたがって、操作ハンドル８２に連結する移動機構部８３は、図中矢印Ｂ方向へ上昇する。また、ユーザが操作ハンドル８２を離すと、上昇していた移動機構部８３は、図中矢印Ｃ方向へ下降して、上昇前の位置に戻る。
【００４１】
第１の開閉部の一例としての下流側経路カバー８４は、下流側経路カバー８４の図中ｙ方向端部に設けられた回転軸９０を備えている。また、下流側経路カバー８４は、図中ｙ方向に延び、回転軸９０を回転中心として回転することで、用紙搬送部７０本体に対して開閉可能に設けられる外側回転扉９１を備えている。さらに、下流側経路カバー８４は、外側回転扉９１の図中ｙ方向上流側端部から図中ｘ方向に延びて設けられ、用紙搬送部７０本体に対する下流側経路カバー８４の位置を固定するラッチ部８５を備えている。
【００４２】
ラッチ部８５は、ラッチ部８５の図中−ｘ方向端部に設けられた回転軸８６と、回転軸８６から図中ｘ方向に延び、移動機構部８３の傾斜部８３Ａに接触して設けられる突出部８７とを備えている。また、ラッチ部８５は、突出部８７から分岐して図中ｙ方向へ延びて設けられる鈎部８８と、鈎部８８よりも−ｘ方向に設けられ、鈎部８８と接触し、ラッチ部８５の図中−ｘ方向への移動を規制する規制ピン８９とを備えている。
【００４３】
ラッチ部８５は、回転軸８６上に設けられたばねにより、図中矢印Ｄ方向（図中反時計回り方向）に力を受けている。
また、外側回転扉９１は、第２搬送ロール７２のロール７２Ｂから、図中−ｘ方向に対して、ニップ圧の反力としての押圧力Ｆ１を受けている。しかし、鈎部８８が規制ピン８９に接触して引っ掛かっているため、外側回転扉９１の−ｘ方向への移動が規制される。
【００４４】
ここで、ユーザが、操作ハンドル８２を掴んで図中−ｘ方向へ引く操作を行い、移動機構部８３が上昇すると、突出部８７は、傾斜部８３Ａから、図中−ｙ方向に押圧される。そして、ラッチ部８５は、移動機構部８３が上昇するにしたがって、回転軸８６上のばねの力に反して図中矢印Ｅ方向に回転する。
【００４５】
ラッチ部８５が、予め定められた距離だけ図中矢印Ｅ方向に回転すると、鈎部８８と規制ピン８９とが非接触となる。これにより、規制ピン８９による、ラッチ部８５の図中−ｘ方向への移動の規制が無くなる。すると、外側回転扉９１は、ロール７２Ｂから受けている図中−ｘ方向への押圧力Ｆ１により、回転軸９０を回転中心として、図中矢印Ｇ方向（図中時計回り方向）へ回転して、用紙搬送部７０本体に対して開く。
なお、下流側経路カバー８４は、第１の回転扉としての一例である。
【００４６】
＜上流側経路カバーの構成についての説明＞
図６は、上流側経路カバー９２の構成について示した図であり、下流側経路カバー８４が用紙搬送部７０本体に対して開いた状態を示した図である。また、図７（Ａ）は、上流側経路カバー９２が、用紙搬送部７０本体に対して開いた状態を示した図である。さらに、図７（Ｂ）は、上流側経路カバー９２が用紙搬送部７０本体に対して閉まる位置を決める構成を図７（Ａ）のＶＩＩ方向から眺めた図である。
【００４７】
第２の開閉部の一例としての上流側経路カバー９２は、上流側経路カバー９２の図中ｙ方向端部に設けられた回転軸９３と、図中ｙ方向に延び、回転軸９３を回転中心として回転することで、用紙搬送部７０本体に対して開閉可能に設けられる内側回転扉９４とを備えている。また、上流側経路カバー９２は、上流側経路カバー９２が用紙搬送部７０本体に対して閉じている場合において、上流側経路カバー９２の位置決めに用いられる位置決めピン９５を備えている。
【００４８】
さらに、上流側経路カバー９２は、位置決めピン９５が嵌まることにより、上流側経路カバー９２の位置を固定する溝部９６を備えている。溝部９６は、位置決めピン９５の下側と接触する部分であって、ｘ方向に向かうに従って上方に傾斜する誘導部９６Ａと、誘導部９６Ａから図中ｘ方向へ延びる平坦部９６Ｂを備えている。
【００４９】
下流側経路カバー８４が閉じている間、内側回転扉９４は、下流側経路カバー８４により、図中ｘ方向に押圧され、用紙搬送部７０本体に対して閉じている。そして、位置決めピン９５は、溝部９６の平坦部９６Ｂの図中ｘ方向端部上で位置が固定されている。このとき、下流側経路カバー８４からの図中ｘ方向への押圧力は、内側回転扉９４を介して、第２搬送ロール７２のロール７２Ｂの回転軸に伝達する。これにより、第２搬送ロール７２のニップ圧が発生する。また、内側回転扉９４が用紙搬送部７０本体に対して閉じているとき、内側回転扉９４は、分岐ロール７５のロール７５Ｂの回転軸に対して、上方向に押圧する。これにより、分岐ロール７５のニップ圧が発生する。
【００５０】
一方で、内側回転扉９４は、分岐ロール７５のニップ圧の反力である押圧力Ｆ２を、ロール７５Ｂの回転軸のばねから下方向に受ける。
また、内側回転扉９４は、第２搬送ロール７２のニップ圧の反力である押圧力Ｆ１を、ロール７２Ｂの回転軸のばねから、図中−ｘ方向に受ける。そして、この力は、下流側経路カバー８４へ伝達する。ここで、下流側経路カバー８４は、ラッチ部８５が用紙搬送部７０本体に引っ掛かっているため、移動が規制されている。そのため、内側回転扉９４の図中−ｘ方向への移動が、下流側経路カバー８４により規制されることとなる。
【００５１】
しかし、上述したように、ラッチ部８５による規制が解除されると、下流側経路カバー８４は、回転により用紙搬送部７０本体に対して開く。
そして、下流側経路カバー８４による規制が無くなるため、内側回転扉９４は、下流側経路カバー８４の回転とともに、回転移動する。すなわち、内側回転扉９４は、回転軸９３を回転中心として、図中矢印Ｉ方向に回転して、用紙搬送部７０に対して開く。
【００５２】
内側回転扉９４が図中矢印Ｉ方向へ回転するに従って、位置決めピン９５は、平坦部９６Ｂ上を図中−ｘ方向へ移動する。そして、位置決めピン９５は、平坦部９６Ｂを通過して誘導部９６Ａに到達すると、分岐ロール７５からの押圧力Ｆ２により、−ｘ方向へ移動するにしたがって下降する。その後、位置決めピン９５は誘導部９６Ａを通過することで溝部９６から離れる。これにより、内側回転扉９４が、用紙搬送部７０本体に対して開く。
【００５３】
また、下流側経路カバー８４を図中ｘ方向へ押して用紙搬送部７０本体に対して閉じる方向へ移動させると、上流側経路カバー９２は、下流側経路カバー８４に押されて、図中矢印Ｊ方向へ回転移動する。そして、位置決めピン９５は、溝部９６へ向かって図中ｘ方向へ移動する。位置決めピン９５が誘導部９６Ａ上を図中ｘ方向に移動するにしたがって、上流側経路カバー９２は上昇する。そして、位置決めピン９５が、誘導部９６Ａを通過して平坦部９６Ｂに到達すると、上流側経路カバー９２の高さが定まる。その後、下流側経路カバー８４の鈎部８８が規制ピン８９に引っ掛かる位置に到達すると、位置決めピン９５が溝部９６のｘ方向端部に到達する。これにより、上流側経路カバー９２の位置が固定される。
【００５４】
本実施の形態では、下流側経路カバー８４の移動の規制が解除されると、下流側経路カバー８４と上流側経路カバー９２とは、第２搬送ロール７２からの押圧力Ｆ１により、ユーザの開閉操作を伴わずに、用紙搬送部７０に対して開く構成を有している。
また、上流側経路カバー９２は、下流側経路カバー８４が開くことに連動して、下流側経路カバー８４とともに開く構成を有している。
さらに、ユーザが下流側経路カバー８４を閉じる動作を行うことにより、下流側経路カバー８４とともに上流側経路カバー９２が閉じる。
なお、上流側経路カバー９２は、第２の回転扉としての一例である。
【００５５】
＜上流側経路カバーや下流側経路カバーが開くことにより移動する用紙搬送経路部および搬送ロールの範囲についての説明＞
図８は、下流側経路カバー８４や上流側経路カバー９２が開くことにより移動する用紙搬送経路部および搬送ロールの範囲を示した図である。
下流側経路カバー８４には、合流部Ｇ２よりも搬送方向下流側の第６用紙搬送経路部Ｒ６を構成する壁面（不図示）が隣接して存在する。また、下流側経路カバー８４には、合流部Ｇ２から下部カバー８１が設けられた高さに到達するまでの第５用紙搬送経路部Ｒ５を構成する壁面（不図示）の一部が隣接して存在する。具体的には、第５用紙搬送経路部Ｒ５を構成する壁面のうち、対向する壁面よりも、下流側経路カバー８４が設けられた用紙搬送部７０の一方の側面に近い側の壁面が隣接する。
【００５６】
下流側経路カバー８４が−ｘ方向へ移動すると、下流側経路カバー８４に隣接する壁面も同様に移動する。これにより、用紙搬送経路部が開放される。そして、ユーザは、開放された用紙搬送経路部における紙詰まりを除去する。
本実施の形態では、下流側経路カバー８４および下部カバー８１を開くことで、下流側経路部ＲＤが開放される。
【００５７】
上流側経路カバー９２には、分岐部Ｂ２から分岐部Ｂ３までの第４用紙搬送経路部Ｒ４を構成する壁面のうち、対向する壁面よりも、下流側経路カバー８４が設けられた用紙搬送部７０の一方の側面に近い側の壁面が隣接して存在する。また、上流側経路カバー９２には、分岐部Ｂ３から合流部Ｇ２までの第６用紙搬送経路部Ｒ６を構成する壁面のうち、対向する壁面よりも、ロール７５Ｂに近い側の壁面が隣接して存在する。
【００５８】
さらに、上流側経路カバー９２には、合流部Ｇ２から下部カバー８１までの第５用紙搬送経路部Ｒ５を構成する壁面のうち、対向する壁面よりも、下流側経路カバー８４が設けられた用紙搬送部７０の一方の側面に遠い側の壁面が隣接して存在する。
またさらに、上流側経路カバー９２には、分岐ロール７５のうちロール７５Ｂと、第２搬送ロール７２のうちロール７２Ｂとが取り付けられている。
【００５９】
上流側経路カバー９２が−ｘ方向へ移動すると、上流側経路カバー９２に隣接する壁面も同様に移動する。
本実施の形態では、下流側経路カバー８４および上流側経路カバー９２を開くことで、上流側経路部ＲＵが開放される。
【００６０】
ユーザは、下流側経路カバー８４および下部カバー８１を開くことで下流側経路部ＲＤにおける紙詰まりを除去し、さらに上流側経路カバー９２を開くことで上流側経路部ＲＵにおける紙詰まりを除去する。
上流側経路部ＲＵにおいてのみ紙詰まりが発生した場合には、下流側経路カバー８４が開いただけでは紙詰まりを除去できない。この場合であっても、下流側経路カバー８４と上流側経路カバー９２とが開くことにより、ユーザは、紙詰まりを除去する。
【００６１】
また、下流側経路カバー８４が開くと、これとともに上流側経路カバー９２が開く。そのため、上流側経路部ＲＵにおいてのみ紙詰まりが発生している場合に、ユーザは、下流側経路カバー８４を開くための動作を行うことで、上流側経路カバー９２を開く動作をすることなく、上流側経路部ＲＵにおける紙詰まりを除去する。
【００６２】
上流側経路カバー９２が図中−ｘ方向へ移動すると、上流側経路カバー９２に取り付けられている壁面および搬送ロールもともに移動する。これにより、ロール７５Ｂの回転軸のばねがロール７５Ａの回転軸と非接触になると、分岐ロール７５のニップ圧が解除される。また、ロール７２Ｂの回転軸のばねがロール７２Ａの回転軸と非接触になると、第２搬送ロール７２のニップ圧が解除される。
【００６３】
分岐ロール７５のニップ圧が解除されると、ニップ圧の反力としてのロール７５Ｂの回転軸のばねによる押圧力Ｆ２がなくなる。
また、第２搬送ロール７２のニップ圧が解除されると、ニップ圧の反力としてのロール７２Ｂの回転軸のばねによる押圧力Ｆ１がなくなる。これにより、押圧力Ｆ１を受けていた下流側経路カバー８４および上流側経路カバー９２の図中−ｘ方向への移動が停止する。
【００６４】
ここで、用紙Ｐが、下流側経路カバー８４または上流側経路カバー９２に取り付けられた第５用紙搬送経路部Ｒ５から、これらのカバーが取り付けられていない第５用紙搬送経路部Ｒ５の下流側まで亘って紙詰まりしている場合がある。ここで、紙詰まりを除去するために下流側経路カバー８４を開くと、ともに上流側経路カバー９２も開くことになる。しかし、第２搬送ロール７２による押圧力Ｆ１がなくなることで、上流側経路カバー９２は、用紙搬送部７０本体に対して完全に開くことなく、途中で移動が停止する。
【００６５】
そのため、下流側経路カバー８４と上流側経路カバー９２とを一体としてしか移動させることができない場合において、下流側経路カバー８４と上流側経路カバー９２とを開いた際に、下流側経路カバー８４と上流側経路カバー９２との間で挟まった用紙Ｐが下流側の第５用紙搬送経路Ｒ５の壁面に接触して生じる損傷が抑制される。
【００６６】
また、用紙Ｐが分岐ロール７５または第２搬送ロール７２に挟まれた状態で紙詰まりが発生する場合がある。本実施の形態では、下流側経路カバー８４が開くと、上流側経路カバー９２は、分岐ロール７５が形成していたニップ圧および第２搬送ロール７２が形成していたニップ圧がともに解除されるまで開く。
そのため、紙詰まりした用紙Ｐについて、取り出す方向とは異なる方向に搬送ロールからのニップ圧が加わることで用紙Ｐが損傷することが抑制される。
【００６７】
さらに、用紙Ｐが分岐ロール７５または第２搬送ロール７２に挟まれ、かつ、用紙Ｐの先端が下流側経路部ＲＤに亘っている状態で紙詰まりが発生する場合がある。この際、下流側経路カバー８４が開くと、上流側経路カバー９２は、分岐ロール７５が形成していたニップ圧および第２搬送ロール７２が形成していたニップ圧がともに解除されるまで開く。
そのため、ユーザは、上流側経路カバー９２を完全に開くことなく、また、ニップ圧に起因して生じる損傷を用紙Ｐに与えることなく、紙詰まりを除去する。
【符号の説明】
【００６８】
１…画像形成システム、２…画像形成装置、１０…画像形成部、２１…給紙部、５１…排出トレイ、５２…サイドトレイ、６０…後処理装置、７２…第２搬送ロール、７３…第３搬送ロール、７５…分岐ロール、８１…下部カバー、８２…操作ハンドル、８３…移動機構部、８４…下流側経路カバー、８５…ラッチ部、８７…突出部、８８…鈎部、８９…規制ピン、９１…外側回転扉、９２…上流側経路カバー、９４…内側回転扉、９５…位置決めピン、９６…溝部、Ｒ１…第１用紙搬送経路部、Ｒ２…第２用紙搬送経路部、Ｒ３…第３用紙搬送経路部、Ｒ４…第４用紙搬送経路部、Ｒ５…第５用紙搬送経路部、Ｒ６…第６用紙搬送経路部、Ｇ１〜Ｇ２…合流部、Ｂ１〜Ｂ４…分岐部、ＲＤ…下流側経路部、ＲＵ…上流側経路部
【図１】
0006786780.tif 000002
【図２】
0006786780.tif 000003
【図３】
0006786780.tif 000004
【図４】
0006786780.tif 000005
【図５】
0006786780.tif 000006
【図６】
0006786780.tif 000007
【図７】
0006786780.tif 000008
【図８】
0006786780.tif 000009